(57)【要約】【課題】  長期間に渡って恒常的に高い殺菌効果の得られる手摺り部材、特に導電性発熱層が金属微粒子を含有する導電性塗料を塗布して形成された導電性発熱層である手摺り部材、及び、当該手摺部材を握り部とする手摺りを提供する。【解決手段】  導電により発熱する導電性発熱部を有する手摺り部材により、長期にわたって安定して高い殺菌効果を実現できることから各種建築物に使用される手摺り、特に院内感染のリスクが高い病院や高齢者施設等の手摺りとして好適に使用できる。特に、導電性発熱層として導電性塗料の塗布により得られる導電性発熱層を使用することで、複雑な形状であっても簡易に導電性発熱部を設けることができる。【選択図】  図１
2016145461.tif 000002
【特許請求の範囲】
【請求項１】
導電性発熱部を有することを特徴とする手摺り部材。
【請求項２】
前記導電性発熱部が棒状芯材の外周に設けられた導電性発熱層である請求項１に記載の手摺り部材。
【請求項３】
前記導電性発熱層が金属微粒子を含有する導電性塗料を塗布して形成された導電性発熱層である請求項２に記載の手摺り部材。
【請求項４】
前記金属微粒子が金属ナノ粒子である請求項３に記載の手摺り部材。
【請求項５】
導電による表層の発熱温度が４０℃以上である請求項１〜４のいずれかに記載の手摺り部材。
【請求項６】
建築物に設けられる手摺りであって、請求項１〜５のいずれかに記載の手摺り部材を握り部とすることを特徴とする手摺り。
【請求項７】
前記建築物が病院又は高齢者施設である請求項６に記載の手摺り。
【発明の詳細な説明】
【技術分野】
【０００１】
本発明は、建築物等に設置される手摺りに使用する手摺り部材及び手摺りに関する。
【背景技術】
【０００２】
各種の建築物の室内外の階段や廊下、衛生機器の周辺、あるいは浴室の壁面等には安全性確保のために手摺りが設けられている。このような手摺りは多数の人が直接手で触れるため、細菌の繁殖等、不衛生になりやすい。特に病院や高齢者施設等においては、手摺りに付着した細菌等が屋内感染の原因にもなり得ることから、抗菌剤や殺菌剤を担持した手摺りや、光触媒を担持した手摺り等が開示されている（例えば、特許文献１参照）
【特許文献１】特開２００３−２３９４９０号公報
【発明の開示】
【発明が解決しようとする課題】
【０００３】
しかしながら、抗菌剤や殺菌剤は経時で抗菌効果が低減するため長期間抗菌、殺菌効果を保持することは困難であった。また、光触媒は汚染等により光活性が低下することから、長期間に渡り、恒常的に安定した抗菌、殺菌効果を保持することは困難であり、また充分光があたらないような場所では使用できない場合があった。
【０００４】
抗菌剤や殺菌剤による機能が手摺りにない場合は、消毒薬を用いて手作業で定期的に手摺りを拭いて消毒するなど、非常に手間がかかり、また作業がばらつくと、未処理部分が残る可能性もあった。
【０００５】
本発明は、上記のような課題の解決を図るものであり、長期間に渡って恒常的に高い殺菌効果の得られる手摺り部材を提供することにある。
【課題を解決するための手段】
【０００６】
本発明は、導電性発熱部を有することを特徴とする手摺り部材により、上記課題を解決するものである。
【発明の効果】
【０００７】
本発明の手摺り部材は、導電により発熱する導電性発熱部を有することにより、加熱殺菌が可能となるため高い殺菌性能を有する。また、経時で殺菌性能が低下することがないため長期間に渡って安定した殺菌性能を実現できる。
【０００８】
また、抗菌剤や光触媒は、実質的に手摺り表面に露出していないとその効果が得られ難いことから、高い殺菌性能を実現することが困難な場合があるが、本発明は加熱による殺菌のため高い殺菌効果が得られる。
【図面の簡単な説明】
【０００９】
【図１】本発明の手摺り部材の実施形態の一例を示す断面概略図である。
【図２】本発明の手摺り部材の実施形態の一例を示す断面概略図である。
【図３】本発明の手摺り部材を設置した手擦りの一例を示す概略図である。
【図４】本発明の手摺り部材を設置した手擦りの一例を示す概略図である。
【発明を実施するための形態】
【００１０】
本発明の手摺り部材は、導電性発熱部が設けられた手摺り部材である。手摺り部材の形状は特に制限されず、一般に使用される手摺り部材の形状を適宜使用できる。具体的には、手で握る部位となる棒状形状の部材であればよく、その断面形状も円形や楕円形、方形、多角形等、適宜な形状であってよい。
【００１１】
本発明の手摺り部材に使用する導電性発熱部は、導電により発熱する部材であればよく、例えば、棒状や板状、箔状の導電性金属や、導電性塗料等を例示できる。なかでも、導電性金属箔や導電性塗料は、手摺りの外周に沿った形状に形成しやすいため好ましい。特に導電性塗料は、断面形状が複雑な手摺り部材であっても、その断面外周に沿った形状への形成が特に容易となる。
【００１２】
導電性塗料は導電により発熱する塗膜を形成できるものであれば特に制限されず、各種の導電性物質を含有する塗料を使用でき、例えば、銅、銀、銀合金、アルミニウム等の金属微粒子を好ましく使用できる。中でも銀や銀合金の微粒子は、温度制御や耐腐食性等に優れるため特に好ましく使用できる。
【００１３】
金属微粒子の粒子径は特に制限されないが、導電性や発熱性を得やすいことから、平均粒子径が１０μｍ以下であることが好ましく、１μｍ以下であることがより好ましく、５００μｍ以下であることがさらに好ましい。また、導電性やコストの観点から、１ｎｍ以上であることが好ましく、１０ｎｍ以上であることがより好ましく、５０ｎｍ以上であることがさらに好ましい。金属微粒子として金属ナノ微粒子を使用することで、好適な導電性を実現しやすくなる。
【００１４】
導電性塗料は、導電性物質が溶媒等に分散した分散液からなる塗料であっても、必要に応じてバインダー樹脂等を含有する塗料であってもよい。導電性塗料の塗布は、スプレ−法や刷毛塗り法、浸漬法等、適宜な方法で塗布すればよい。
【００１５】
手摺り部材中に設けられる導電性発熱部の設置形態は、使用する部材や形状等により適宜選択すればよいが、手摺り部材の外周全体への殺菌効果が得られやすいことから、手摺り部材の外周に沿った形状に設けられていることが好ましい。また、外周に沿った全面に設けられていなくともよい。
【００１６】
当該形態としては、例えば、棒状芯材の外周に導電性金属箔や導電性塗料からなる導電性発熱層が設けられた形態の手摺り部材を好ましく例示できる。棒状芯材としては、樹脂系材料からなる芯材や、金属からなる芯材、金属棒が樹脂材料で被覆された芯材等、一般的に手摺り部材として使用される材料を適宜使用できる。また当該芯材は内部まで材質が充填された芯材であってもよいが、内部が中空となったパイプ状の形状や、パイプの一部に切欠きが設けられた断面がＣ字型の形状、パイプの一部に凹部が設けられた形状、凹部の一部に切欠きが設けられた形状等、各種の断面形状を適宜使用できる。
【００１７】
当該手摺り部材は、導電性発熱層が最外層であってもよいが、導電性発熱層のさらに外層に、加飾印刷層や加飾シート等の加飾層や、傷付きや汚染を防ぐためのコーティング層等の他の任意の層が設けられていてもよい。また、芯材と導電性発熱層との間にも接着性を高める層や、手擦りを握りやすくするための柔軟な層などが適宜設けられていてもよい。
【００１８】
本発明の手摺り部材の発熱温度は、導電時の表層の温度が４０℃以上の温度に発熱できることが好ましく、６０℃以上であることがさらに好ましく、８０℃以上であることが特に好ましい。
【００１９】
本発明の手摺り部材は、建築物の室内外の階段や廊下、衛生機器の周辺、あるいは浴室の壁面等に、ブラケットなどの固定具を用いる方法など、任意の手段にて固定して手摺りとして使用できる。手摺り中の導電性発熱部への導電方法は、使用する態様に応じて適宜の方法を使用でき、固定具を通じて導電してもよく、別途手摺り部材に直接導電経路を設けてもよい。
【００２０】
本発明の手摺り部材は、導電による発熱により好適な殺菌効果が得られ、抗菌剤や殺菌剤のように経時でその効果が劣化することもない。また、殺菌剤等を使用した手摺りは菌が付着した際に菌が死滅するまでに長時間を要するものも多く、即効性に欠ける場合があるが、本発明の手摺り部材は必要な際に発熱させることで、即座に殺菌効果を得ることができる。このように本発明の手摺り部材は、長期にわたって安定して高い殺菌効果を実現できることから各種建築物に使用される手摺り、特に院内感染のリスクが高い病院や養老院等の手摺りとして好適に使用できる。
【００２１】
以下、本発明の手摺り部材の具体的な実施態様の例を図面を用いて示する。図１に示した実施態様は、断面円形の棒状芯材２の外周に、導電性発熱層１が設けられた手摺り部材である。当該導電性発熱層１としては、棒状部材の被覆が容易であることから、導電により発熱可能な層を形成できる導電性塗料の塗布により得られる導電性発熱層を好ましく使用できる。断面円形の棒状芯材２としては、樹脂材料を主成分とする棒状芯材が製造や加工が容易であるため好ましい。
【００２２】
図２に示した実施形態は、当該手摺り部材の変形例であり、スリット５を形成するための切欠きを有する棒状芯材４の外周に、導電性発熱層１が設けられた手摺り部材である。スリット５は、ブラケット等の固定具による手摺部材の固定に際して、固定具を挿入する部位である。このようなスリットが設けられた形態等、外周形状が複雑な場合には、導電性発熱層１が、導電性塗料の塗布により得られる導電性発熱層であると製造工程上、非常に優位である。
【００２３】
なお、これら図１や図２に示した実施態様においても、導電性発熱層１の外周に加飾印層や加飾シート等の加飾層や傷付きや汚染を防ぐためのコーティング層が設けられた形態や、棒状芯材２が断面中空のパイプ状である形態は好ましい態様例である。また、導電性発熱層１は、棒状芯材２の外周全面に被覆されている必要はなく、特に図２に示した形態においては、スリット５の切欠き部に被覆がなされていなくとも十分に発明の効果が得られる。
【００２４】
図３は、本発明の手摺り部材を設置した手擦りの実施態様の一例であり、建築物の屋内階段１３の手摺りとして、手擦り部材１１をブラケット１２を用いて設置した例である。また、図４は、浴室内の手摺りとして、手擦り部材２１を浴槽２２と接する壁面に設置した例である。
【図１】
2016145461.tif 000003
【図２】
2016145461.tif 000004
【図３】
2016145461.tif 000005
【図４】
2016145461.tif 000006